(57)【要約】【課題】リモコンの電池を長寿命化しつつ、他リモコンから空気調和機本体の運転操作が行われていた場合に、リモコンの表示内容に他のリモコンから空気調和機本体の運転状態が変更された旨を表示させて適切な情報を提供できるようにする。【解決手段】エアコン１２ａと、それを運転操作可能な複数のリモコン１４ａ，１４ｂとを備え、リモコン１４ａが一定時間操作されないとリモコン１４ａの消費電力を低下させ、リモコン制御部９６ａは、操作部９４ａが操作されるとリモコン１４ａへの電源供給を再開し、リモコン送受信部９０ａを介してエアコン１２ａとの間で通信を行い、判断部９６ａ１がエアコン１２ａの状態情報の変更があったと判断すると、他のリモコン１４ｂによる運転操作が行われたことを伝え、液晶表示部９２ａに他のリモコン１４ｂにより運転操作が行われた旨を表示させる。【選択図】図３
2015105762.tif 000002
【特許請求の範囲】
【請求項１】
空気調和機本体と、該空気調和機本体を運転操作可能な複数の無線リモコンとからなる空気調和機であって、
前記空気調和機は、前記空気調和機本体の運転状態を示す状態情報が変更されたか否かを判断する判断部を備え、
前記無線リモコンは、
前記空気調和機本体を運転操作するための操作部と、
前記操作部による操作内容や前記空気調和機本体の状態情報を表示する表示部と、
前記空気調和機本体との間で双方向通信を行うリモコン送受信部と、
前記無線リモコンを制御するリモコン制御部と、
を備え、
前記リモコン制御部は、前記無線リモコンが一定時間操作されないと前記リモコン送受信部の消費電力を低下させることで前記空気調和機本体との間の通信を停止し、停止中に前記操作部が操作されると前記リモコン送受信部への電源供給を再開し、前記リモコン送受信部を介して前記空気調和機本体との間で通信を行うと共に、前記判断部で前記状態情報の変更があったと判断されると、運転操作により前記状態情報を変更した無線リモコン以外の無線リモコンの前記表示部に他の無線リモコンにより運転操作されたことを示す表示を行うことを特徴とする空気調和機。
【請求項２】
前記リモコン制御部は、前記リモコン送受信部を介して前記空気調和機本体に対し最新の前記状態情報を要求し、前記判断部の判断に基づいて他の無線リモコンにより運転操作されたことを示す表示を行った後、前記空気調和機本体から受信した前記状態情報に合わせて前記表示部の表示を更新することを特徴とする請求項１に記載の空気調和機。
【請求項３】
前記複数のリモコンには、前記空気調和機本体をメイン機として登録するメインリモコンと、前記空気調和機本体をサブ機として登録するサブリモコンとがあり、前記サブリモコンは、サブ機として登録された前記空気調和機本体を操作する操作画面に移行する際に、サブ機として登録された前記空気調和機本体との間で通信を行い、
前記サブリモコンの前記リモコン制御部は、サブ機として登録された前記空気調和機本体から受信した状態情報がエラーである場合に、該空気調和機本体側にエラーが生じていることを示す表示を前記サブリモコンの前記表示部に表示することを特徴とする請求項１に記載の空気調和機。
【請求項４】
前記無線リモコンの前記操作部は、
操作入力を行うためのボタンとして、前記空気調和機本体の運転停止時に運転操作が行える有効ボタンと、運転操作が行えない無効ボタンとを有し、
前記無線リモコンの前記リモコン制御部は、前回送信した運転操作情報を記憶しておく記憶部を有し、
前記リモコン制御部は、前記操作部で操作入力を行われたボタンが前記有効ボタンであった場合には、前記リモコン送受信部を介して前記空気調和機本体に対し入力された運転操作に関する設定指示データを送信すると共に、前記空気調和機本体に対し前記状態情報の要求を行い、前記無効ボタンが操作されたと判断すると、前記空気調和機本体に対し前記状態情報の要求のみを行うことを特徴とする請求項１から３のいずれか一つに記載の空気調和機。
【発明の詳細な説明】
【技術分野】
【０００１】
本発明は、複数の無線リモコンと空気調和機本体との間で双方向通信を行い運転操作がなされる空気調和機に関する。
【背景技術】
【０００２】
従来の空気調和機では、ＲＦ（Radio  Frequency）モジュールを用いて無線リモコンと空気調和機本体との間で双方向通信を行い、空気調和機本体を運転操作するようにした空気調和機が知られている（例えば、特許文献１参照）。この無線リモコンは、赤外線リモコンのように空気調和機本体に送信部を向けて使用する必要はなく、空気調和機本体が設置されている部屋と別の部屋からも操作が可能である。特許文献１は、一台の空気調和機本体に対して、一台の無線リモコンをメインリモコンとして、また他の複数の無線リモコンをサブリモコンとして登録する技術に係るものである。ここで、空気調和機本体と無線リモコンにお互いを通信を行うべき相手だと認識させるため、機器固有の識別番号を用いてお互いを登録する操作を、ペアリングという。
【０００３】
このように、一台の空気調和機本体に対して複数のリモコンをペアリングすることにより、リモコンを持ち歩かずに別の部屋の空調設定が可能になる。一台の無線リモコンは複数の空気調和機本体との間でペアリングできるが、メインリモコンについては、一台の空気調和機本体をメイン機として登録し、メイン機以外の空気調和機本体はサブ機として登録される。このように、一台のリモコンに対して複数の空気調和機本体をペアリングすることにより、外出時などに全ての部屋の空気調和機本体をまとめて停止することが可能となる。
【０００４】
また、従来の制御システムでは、リモコンの消費電力を抑制しながら操作対象機器の状態を常時把握できるものがあった（例えば、特許文献２参照）。
【先行技術文献】
【特許文献】
【０００５】
【特許文献１】特開２０１３−１０４６４５号公報
【特許文献２】国際公開第２０１０／０２６７１７号
【発明の概要】
【発明が解決しようとする課題】
【０００６】
しかしながら、特許文献１に示す空気調和機にあっては、赤外線リモコンに比べて無線リモコンの消費電力が大きいことから、リモコンの電池寿命を長く持たせるため、リモコン操作後、一定時間が経過すると液晶表示を消灯したり空気調和機本体の運転情報を知るための通信を停止したりして消費電力を低減していた。このため、メインリモコンは、空気調和機本体の運転情報を常時更新することができず、ユーザが運転情報確認ボタン（お知らせボタン）を押さないとメインリモコンの表示内容が更新されないことから、リモコンの電力が復帰しても液晶表示内容が空気調和機本体の運転内容と一致しないことがあり、適切な情報をユーザに提供できていなかった。
【０００７】
また、特許文献２に示す制御システムにあっては、リモコンの表示部の表示を経過時間に応じてオフし、ユーザがリモコンを持ち上げた場合などに操作対象機器に対してその操作対象機器の運転状態を示す状態情報を要求し、取得した状態情報をリモコンの表示部に表示していた。しかしながら、この制御システムの操作対象機器は、テレビ受像機などの映像表示装置や録画機能を持ったレコーダなどであり、複数のリモコンによる遠隔操作を想定していない。そのため、他のユーザにより運転状態が変更されても、それを通知することは想定されていなかった。
【０００８】
本発明は、上記に鑑みてなされたものであって、リモコンの電池を長寿命化しつつ、ユーザが操作しているリモコン以外のリモコンから既に空気調和機本体の運転操作が行われていた場合に、操作しているリモコンの表示内容に他のリモコンから空気調和機本体の運転状態が変更された旨を表示させて、適切な情報を提供できる空気調和機を提供することを目的とする。
【課題を解決するための手段】
【０００９】
上述した目的を達成するために、本発明の空気調和機は、空気調和機本体と、該空気調和機本体を運転操作可能な複数の無線リモコンとからなる空気調和機であって、前記空気調和機は、前記空気調和機本体の運転状態を示す状態情報が変更されたか否かを判断する判断部を備え、前記無線リモコンは、前記空気調和機本体を運転操作するための操作部と、前記操作部による操作内容や前記空気調和機本体の状態情報を表示する表示部と、前記空気調和機本体との間で双方向通信を行うリモコン送受信部と、前記無線リモコンを制御するリモコン制御部と、を備え、前記リモコン制御部は、前記無線リモコンが一定時間操作されないと前記リモコン送受信部の消費電力を低下させることで前記空気調和機本体との間の通信を停止し、停止中に前記操作部が操作されると前記リモコン送受信部への電源供給を再開し、前記リモコン送受信部を介して前記空気調和機本体との間で通信を行うと共に、前記判断部で前記状態情報の変更があったと判断されると、運転操作により前記状態情報を変更した無線リモコン以外の無線リモコンの前記表示部に他の無線リモコンにより運転操作が行われたことを示す表示を行うことを特徴とする。
【００１０】
また、本発明の空気調和機は、前記リモコン制御部は、前記リモコン送受信部を介して前記空気調和機本体に対し最新の前記状態情報を要求し前記表示部の表示を更新する際、前記判断部の判断に基づいて他の無線リモコンにより運転操作されたことを示す表示を行った後、前記空気調和機本体から受信した前記状態情報に合わせて前記表示部の表示を更新することを特徴とする。
【００１１】
また、本発明の空気調和機は、前記複数のリモコンには、前記空気調和機本体をメイン機として登録するメインリモコンと、前記空気調和機本体をサブ機として登録するサブリモコンとがあり、前記サブリモコンは、サブ機として登録された前記空気調和機本体を操作する操作画面に移行する際に、サブ機として登録された前記空気調和機本体との間で通信を行い、前記サブリモコンの前記リモコン制御部は、サブ機として登録された前記空気調和機本体から受信した状態情報がエラーである場合に、該空気調和機本体側にエラーが生じていることを示す表示を前記サブリモコンの前記表示部に表示することを特徴とする。
【００１２】
また、本発明の空気調和機は、前記無線リモコンの前記操作部は、操作入力を行うためのボタンとして、前記空気調和機本体の運転停止時に運転操作が行える有効ボタンと、運転操作が行えない無効ボタンとを有し、前記無線リモコンの前記リモコン制御部は、前回送信した運転操作情報を記憶しておく記憶部を有し、前記リモコン制御部は、前記操作部で操作入力を行われたボタンが前記有効ボタンであった場合には、前記リモコン送受信部を介して前記空気調和機本体に対し入力された運転操作に関する設定指示データを送信すると共に、前記空気調和機本体に対し前記状態情報の要求を行い、前記無効ボタンが操作されたと判断すると、前記空気調和機本体に対し前記状態情報の要求のみを行うことを特徴とする。
【発明の効果】
【００１３】
本発明の空気調和機によれば、無線リモコンの消費電力を低下させて空気調和機本体との間の通信を停止している間に他の無線リモコンから空気調和機本体の運転操作が行われたとしても、運転操作を行った無線リモコン以外の無線リモコンの表示部に、他の無線リモコンにより運転操作が行われたことを示す表示を行うことから、操作者に正しく空気調和機本体の運転状態を報知することができるという効果を奏する。
【図面の簡単な説明】
【００１４】
【図１】図１は、本発明の一実施例にかかる空気調和機の空気調和機本体とリモコンとの関係を示す概略図である。
【図２−１】図２−１は、図１のリモコンの外観図である。
【図２−２】図２−２は、図２−１のリモコンの詳細設定ボタンを示す外観図である。
【図３】図３は、図１の空気調和機の概略構成を示すブロック図である。
【図４】図４は、空気調和機本体とリモコンとの間で送受信される信号の手順を示す図である。
【図５】図５は、図４の信号のやり取りの中でエラーが生じた場合にリモコン側の表示部に表示されるエラー画面例を示す図である。
【図６】図６は、本実施例にかかる空気調和機の動作を説明するフローチャートである。
【図７】図７は、リモコンの液晶表示の消灯時に有効ボタンが操作された場合の表示部の表示遷移図である。
【図８】図８は、リモコンの液晶表示の消灯時に無効ボタンが操作された場合の表示部の表示遷移図である。
【図９】図９は、リモコンの液晶表示の消灯時に他のリモコンから停止操作されていた場合の表示部の表示遷移図である。
【図１０】図１０は、リモコンの液晶表示の消灯時に空気調和機本体がエラーで停止していた場合の表示部の表示遷移図である。
【図１１】図１１は、リモコンの液晶表示の消灯時に他のリモコンから設定指示操作がされていない場合の表示部の表示遷移図である。
【図１２】図１２は、リモコンの液晶表示の消灯時に他のリモコンから設定指示操作がされていた場合の表示部の表示遷移図である。
【図１３】図１３は、サブ機として登録されたエアコンをサブリモコンから操作する場合の表示部の表示遷移図である。
【発明を実施するための形態】
【００１５】
以下に、本発明にかかる空気調和機の実施例を図面に基づいて詳細に説明する。なお、この実施例によりこの発明が限定されるものではない。
【００１６】
［空気調和機の構成説明］
まず、本発明の一実施例にかかる空気調和機の空気調和機本体とリモコンとの関係を示す概略構成について説明する。図１に示すように、本発明に係る空気調和機１０は、複数の部屋ＲＡ、ＲＢに配置された空気調和機本体（以下、エアコン）１２ａ、１２ｂと、リモコン１４ａ、１４ｂと、図示しない室外機とで構成され、各エアコン１２ａ、１２ｂおよび各リモコン１４ａ、１４ｂの機能は共通である。
【００１７】
この空気調和機１０は、エアコンとリモコンのそれぞれに搭載されたＲＦモジュールによる双方向無線通信を利用し、例えば、リモコン１４ａからエアコン１２ａ，１２ｂに対してそれぞれ遠隔操作や各種設定を行うことができる。また、リモコン１４ａは、エアコン１２ａ，１２ｂの運転状態を示す状態情報を記憶する図３に示すリモコン制御部９６ａ内の記憶部９６ａ２と、それを表示する液晶表示部９２ａとを有している。リモコン１４ａは、後述する信号の送受信によって、エアコン１２ａ，１２ｂの運転状態を示す状態情報を受信すると、記憶部９６ａ２に記憶された状態情報を更新するとともに表示部９２ａに表示させ、運転管理や各種設定に利用する。他のリモコン１４ｂの場合も同様である。運転状態を示す状態情報には、冷房や暖房といった運転モードの他に、設定温度、風向や消費電力、およびエアコンのエラー情報等の情報を含む。
【００１８】
リモコン１４ａの表面には、図２−１に示すように、運転情報や設定情報などをドットマトリクスで表示するＬＣＤ（液晶ディスプレイ）や有機ＥＬ（有機エレクトロルミネッセンス）などで構成された表示部１６ａと、各種の運転操作を受け付ける多数の操作ボタン４４ａとが配置されている。操作ボタン４４ａには、気流調節を行う際の選択に用いる十字ボタン１８ａ、選択した内容を決定する決定ボタン２０ａ、各種運転モードに適した既定の風向や風量に自動設定する自動設定モード用のおまかせボタン２２ａ、風向や風量をユーザが任意に手動設定する手動設定モード用のおこのみボタン２４ａ、運転開始と運転停止を行う運転／停止ボタン２６ａ、上下の矢印ボタンで設定温度を変更する温度ボタン２８ａ、風量の変更設定を行う風量ボタン３０ａ、現在の室温や電気代などの運転情報をエアコン１２ａに要求してエアコン１２ａから受信した状態情報を表示部１６ａに表示させるお知らせボタン３２ａ、冷房運転モードでの運転開始や他の運転モードから冷房運転モードに切り換える冷房ボタン３４ａ、暖房運転モードでの運転開始や他の運転モードから暖房運転モードに切り換える暖房ボタン３６ａ、除湿運転モードでの運転開始や他の運転モードから除湿運転モードに切り換える除湿ボタン３８ａ、および、送風運転モードでの運転開始や他の運転モードから送風運転モードに切り換える送風ボタン４０ａなどがある（リモコン１４ｂの場合も同様であるので、重複説明を省略する。なおリモコン１４ｂが備えている構成については、図２−１において添え字ａの代わりにｂを付す。）。
【００１９】
リモコン１４ａの蓋４２ａを開けると、図２−２に示すように、中には詳細設定ボタンが配置されている。詳細設定ボタンには、環境温度に応じて暖房運転か冷房運転かを自動的に選択する自動運転モードに切り換える自動運転ボタン４６ａ、睡眠時に適した温度制御を行いながら所定時間が経過すると運転を停止するおやすみボタン４８ａ、洗濯物などの乾燥に用いるランドリーボタン５０ａ、急速な暖房や冷房運転を行うハイパワーボタン５２ａ、インバータ駆動によるピーク電流を抑えて運転することで省パワー運転を図る電流カットボタン５４ａ、人感センサにより人が不在になったことを検出した場合にエアコンの運転を停止あるいはセーブする不在ＥＣＯボタン５６ａ、ユーザにより設定された時刻によってエアコンの動作を制御するタイマーボタン５８ａ、各種機能の設定を行う機能ボタン６０ａ、機能選択を行うカーソルを移動させる上昇ボタン６２ａと下降ボタン６４ａ、設定を取り消す取消ボタン６６ａ、設定を確定する確定ボタン６８ａ、サブ機として登録されているエアコンの一覧表示を行う登録エアコンボタン７０ａ、および、子供による誤操作を防ぐチャイルドロックボタン７２ａなどがある。
【００２０】
エアコン１２ａは、図３に示すように、リモコン１４ａと双方向無線通信を行うＲＦモジュールからなるエアコン送受信部８６ａ、ＬＥＤ表示部８０ａ、操作部８２ａ、これらを制御するエアコン制御部８４ａを有している。このエアコン制御部８４ａは、受信したリモコン１４ａ，１４ｂからの運転操作に関する設定指示データに基づいてエアコン１２ａ，１２ｂの各部を制御すると共に、エアコン１２ａ，１２ｂの現在の運転情報のデータを保持する図示しないメモリを含んでいる。また、エアコン制御部８４ａ内には、図３に図示していないが、後述するリモコン制御部９６ａ内に設けられた判断部９６ａ１に相当する判断部を備えていても良い。判断部は、エアコンの運転情報を示す状態情報が変更されたか否かを判断するものである。エアコン１２ａ側に設けられた判断部は、リモコン１４ａまたは１４ｂから最後に運転操作を行ったリモコンを後述するペアリングＩＤで識別し、最後に運転操作を行ったリモコン以外のリモコンからアクセスがあると、状態情報が変更されているため、その旨を当該リモコンへ通知するものである（エアコン１２ｂの場合も同様であるので、重複説明を省略する。なおエアコン１２ｂが備えている構成については、図３において添え字ａの代わりにｂを付す）。
【００２１】
ＬＥＤ表示部８０ａは、メイン機用ＬＥＤとサブ機用ＬＥＤとを有しており、それぞれメインリモコンあるいはサブリモコンが登録済みの場合には消灯し、未登録の場合には点灯するようにエアコン制御部８４ａに制御される。また、操作部８２ａは、リモコン１４ａ，１４ｂにエアコン１２ａ，１２ｂをメイン機、サブ機としてペアリングする際に用いる図示しないペアリング登録ボタンを有している。
【００２２】
一方、リモコン１４ａは、図３に示すように、エアコン１２ａのエアコン送受信部８６ａ、あるいは、エアコン１２ｂのエアコン送受信部８６ｂと双方向無線通信を行うＲＦモジュールからなるリモコン送受信部９０ａ、エアコンの運転状態を示す状態情報（運転時間、消費電力、運転モード等）を表示する液晶表示部９２ａ、エアコンを運転操作する操作部９４ａ、これらを制御するリモコン制御部９６ａを有している。リモコン制御部９６ａ内には、図３に示すように、判断部９６ａ１を備えている。判断部９６ａ１は、エアコンの運転情報を示す状態情報が変更されたか否かを判断するものである。リモコン１４ａからアクセスされたエアコン１２ａまたは１２ｂは、最後に運転操作を行ったリモコンのペアリングＩＤ（機器に固有の番号）をリモコン１４ａへ送信すると、リモコン１４ａの判断部９６ａ１が自分のＩＤと比較し、異なっていれば状態情報が変更されたと判断するものである。また、リモコン制御部９６ａによってペアリングしている自室エアコンまたは他室エアコンを選択することで、それぞれのエアコン間で双方向無線通信が可能となる。なお、本実施例では、リモコン１４ａの操作部９４ａの操作が行われてから、一定時間後（例えば、３０秒後）に供給電力を低下もしくは電源供給を遮断して、液晶表示部９２ａの表示を消すとともにリモコン送受信部９０ａの動作をオフすることで、使用する電池の消耗を防ぎ、電池の長寿命化を図っている。リモコン１４ａがエアコン１２ａあるいはエアコン１２ｂとの間で通信を再開するには、リモコン１４ａの液晶表示部９２ａの表示が消え、リモコンの送受信部９０ａの動作がオフになった状態から操作部９４ａが再操作されると、リモコン制御部９６ａは、１回目のボタン操作をカラ打ちと認識し、これをトリガーとして液晶表示部９２ａの表示を再開させ、リモコンの送受信部９０ａの動作をオンするように電源供給を開始し、２回目以降のボタン操作を正式な運転操作と認識する。
【００２３】
なお、エアコン１２ａ，１２ｂのエアコン制御部８４ａ，８４ｂと、リモコン１４ａ，１４ｂのリモコン制御部９６ａ，９６ｂは、ペアリング設定機能をそれぞれ備えている。このペアリング設定機能には、複数のエアコン１２ａ，１２ｂと複数のリモコン１４ａ，１４ｂのうちの一対、例えばエアコン１２ａとリモコン１４ａをメイン機（自室用）として登録するメイン機登録機能（図３中の実線矢印）と、他のエアコン１２ｂと他のリモコン１４ｂとの間でメイン機として登録されているエアコン１２ｂをリモコン１４ａとの間でサブ機（例えば他室用）として登録するサブ機登録機能（図３中の破線矢印）とを有するものである。つまり、このペアリング設定機能によれば、例えば複数のエアコン１２ａ，１２ｂと複数のリモコン１４ａ，１４ｂのうちの一対をメイン機として登録するとともに、残りの一つをサブ機として登録することができる。図３に示すように、リモコン１４ａ，１４ｂは、それぞれに対してメイン機登録されたエアコン１２ａ，１２ｂとの間に実線の矢印で結ばれ、メインリモコンと称される。また、リモコン１４ａ，１４ｂは、それぞれに対してサブ機登録されたエアコン１２ａ，１２ｂとの間に破線の矢印で結ばれ、サブリモコンと称される。このように、メイン機登録されたエアコンに対するメインリモコンは、全ての設定項目について設定指示が可能であるが、サブ機登録されたエアコンに対するサブリモコンは、運転／停止ボタン２６ａ，２６ｂによる運転／停止操作の他、温度ボタン２８ａ，２８ｂによる温度調節などに限定され、運転モード（冷房、暖房、除湿、送風など）の設定指示ができないようになっている。
【００２４】
上記した空気調和機は、図３に示すように、例えばリモコン１４ａとエアコン１２ａあるいはエアコン１２ｂとの間で無線による双方向通信を行うことで、リモコン１４ａからエアコン１２ａ，１２ｂに対して運転操作を行ったり、エアコン１２ａ，１２ｂの運転状態を示す状態情報を受信して表示を更新したりすることができる。本実施例における空気調和機は、リモコンが操作されてから一定時間（ここでは、３０秒）が経過すると、液晶表示部９２ａの表示を消し、リモコン１４ａの送受信部９０ａの動作をオフする。そして、この状態からリモコン１４ａの操作部９４ａのいずれかのボタンが押下されると（カラ打ち）、リモコン１４ａの制御部９６ａは、液晶表示部９２ａの表示を再開し、リモコンの送受信部９０ａの動作をオンする。リモコン１４ａは、この状態から再度操作部９４ａのボタン（例えば、温度ボタン２８ａ）が押下されると（本操作）、図４に示すように、温度設定を変更するための設定指示データをエアコン１２ａに対し送信する（ステップＳ１０）。エアコン１２ａは、この設定指示データを受信すると、設定指示データが受信されたことをリモコン１４ａに知らせるデータ受信完了信号をリモコン１２ａ側に返信する（ステップＳ１２）。
【００２５】
リモコン１４ａは、このデータ受信完了信号を受信すると、エアコン１２ａの最新の運転状態を示す状態情報を返信するように要求する状態情報返信要求信号をエアコン１２ａに送信する（ステップＳ１４）。これに対し、エアコン１２ａは、エアコン制御部８４ａ内の本体記憶部８４ａ１に格納されている最新の状態情報をリモコン１４ａに送信する（ステップＳ１６）。リモコン１４ａは、エアコン１２ａの状態情報を受信すると、状態情報が受信されたことをエアコン１２ａに知らせる情報受信完了信号をリモコン１２ａに返信する（ステップＳ１８）。
【００２６】
このように、リモコン１４ａは、液晶表示部９２ａの表示が消え、送受信部９０ａの動作がオフされた状態から、操作部９４ａが操作されて各部に電源が供給されると、設定指示データをエアコンに送信し、エアコンの運転状態を示す状態情報を要求することで、リモコン１４ａの液晶表示部９２ａの表示をエアコン１２ａの最新の状態情報と一致するよう更新することができる。このため、リモコン１４ａの液晶表示部９２ａの表示が消え、送受信部９０ａの動作がオフされている間に、他のリモコン１４ｂがエアコン１２ａに対して設定指示データを送信し、設定が変更されたとしても、リモコン１４ａを操作する際に最新の運転状態を表示することができる。
【００２７】
また、本実施例では、図４のステップＳ１６において、エアコン１２ａからリモコン１４ａに送信される最新の状態情報と共に、エアコン１２ａを最後に運転操作したリモコンのペアリングＩＤが送信される。リモコン１４ａのリモコン制御部９６ａ内の判断部９６ａ１は、送信されたペアリングＩＤと自分のＩＤとを比較し、異なっていれば他のリモコンによる運転操作により状態情報が変更された可能性がある。このため、リモコン制御部９６ａは、他のリモコンにより運転操作があったことを液晶表示部９２ａに表示させることで、ユーザに状態情報の変更を知らせることができる。
【００２８】
さらに、リモコン１４ａは、一定時間操作されないとリモコン１４ａのリモコン送受信部９０ａへの電源の供給を切ってエアコン１２ａとの間の通信を停止し、リモコン１４ａを操作する時だけ液晶表示部９２ａの表示を再開させ、リモコン送受信部９０ａを動作させるようにする。このため、電池の消耗が少なく長寿命化することができる。例えば、ＲＦモジュールを用いて常時電源供給（単三アルカリ電池２本）する無線リモコンの場合は、電池寿命が１週間程度しか持たなかった。これに対し、本実施例の空気調和機のように、リモコンを操作する時だけ電源供給（単三アルカリ電池２本）するように構成した無線リモコンの場合は、電池寿命を１年程度まで延ばすことができる。リモコン１４ｂの効果もこれと同様である。
【００２９】
また、リモコン１４ａのリモコン制御部９６ａは、時間を計時するタイマ機能を備えている。リモコン制御部９６ａは、図４に示すように、設定指示データ送信後（ステップＳ１０）、エアコン１２ａからデータ受信完了信号（ステップＳ１２）が７秒以内に送られて来ないか、あるいは、状態情報返信要求を送信した後（ステップＳ１４）、エアコン１２ａから状態情報が１７秒以内に送られて来なかった場合は、通信エラーが生じたと判断し、図５に示すような通信エラー表示を液晶表示部９２ａに表示させ、通信ができないことによりエアコンの最新の運転状態が表示できないことをユーザに知らせる。
【００３０】
また、エアコン１２ａのエアコン制御部８４ａは、時間を計時するタイマ機能を備えている。エアコン制御部８４ａは、図４に示すように、データ受信完了信号（ステップＳ１２）をリモコン１２ａ側に送信した後、ここでは２分２０秒間は他機器操作禁止期間とし、他のリモコンなどの操作機器からの操作を受け付けないようにしている。これは、操作を行ったリモコンからの設定のやり直しを行うことができる時間的な余裕をユーザ側に持たせると共に、運転モードが冷房から暖房に切り換えられた場合のように圧縮機の起動準備が整わない間に運転動作が切り換わるのを防ぐためである。
【００３１】
リモコン１４ａの操作部４４ａによる運転操作は、常に有効な操作とは限らない。例えば、エアコンが停止状態にある時は、温度ボタン２８ａが押されたとしても設定温度が変更できないため、有効な操作とはならない。このように、操作部４４ａの操作ボタンは、エアコン１２ａの運転状態に応じて、操作が有効になる有効ボタンと、操作が無効になる無効ボタンとに分けることができる。例えば、エアコンが運転状態にある時は、リモコンの全ての操作ボタンは有効に操作することができる有効ボタンである。他方、エアコンが停止状態にある時は、エアコンの運転操作に関連した気流調節用の十字ボタン１８ａや決定ボタン２０ａ、おまかせボタン２２ａ、おこのみボタン２４ａ、温度ボタン２８ａ、風量ボタン３０ａ、およびハイパワーボタン５２ａを操作しても操作が有効とならない無効ボタンである。なお、エアコンが運転状態にあっても、機能選択時のみ有効となる上昇ボタン６２ａ、下降ボタン６４ａ、あるいは確定ボタン６８ａの場合は、機能選択時でない時に押下されても操作が有効にならないため、無効ボタンと同様に扱われる。このような操作ボタンの有効・無効の判断は、図３に示すリモコン制御部９６ａの記憶部９６ａ２に記憶された前回送信した運転操作情報と、操作部９４ａから入力された入力信号とを照らし合わせ、その照合結果に基づいて操作ボタンが有効ボタンか無効ボタンかをリモコン制御部９６ａの判断部９６ａ１で行っている。
【００３２】
［空気調和機の動作説明］
本実施例に係る空気調和機は、以上のように構成され、以下その動作を説明する。例えば、リモコン１４ａのリモコン制御部９６ａは、図６に示すように、リモコン１４ａが所定時間（ここでは３０秒間）操作されないと（ステップＳ１００）、液晶表示を消すと共に、ＲＦモジュールからなるリモコン送受信部９０ａへの電源供給を停止し動作がオフされる（ステップＳ１０２）。これにより、リモコン１４ａは、消費電力が大幅に抑えられ、電池を長寿命化することができる。
【００３３】
リモコン１４ａのリモコン制御部９６ａは、液晶表示が消え、リモコン送受信部９０ａの動作がオフした状態から操作部４４ａのいずれかのボタンをユーザが操作すると（ステップＳ１０４でＹｅｓ）、これをトリガーとして電源供給が再開され、液晶表示部９２ａを表示させ、リモコン送受信部９０ａの動作をオンする（ステップＳ１０６）。ボタン操作は、リモコンの電源供給を再開させると共に、操作ボタンに応じた操作が空気調和機本体に対して行われる。すなわち、リモコン１４ａのリモコン制御部９６ａは、記憶部９６ａ２に記憶された前回送信した運転操作情報と、操作部９４ａから入力された入力信号とを照らし合わせ、判断部９６ａ１により有効ボタンが操作されたと判断すると（ステップＳ１０８でＹｅｓ）、エアコンの設定を指示する設定指示データとエアコンの現在の運転状態を示す状態情報を返信するように要求する状態情報返信要求信号とをエアコン１２ａに送信する（ステップＳ１１０）。
【００３４】
エアコン１２ａのエアコン制御部８４ａは、エアコン送受信部８６ａでその設定指示データと状態情報返信要求信号を受信すると（ステップＳ１１２）、エアコン１２ａの本体が動作中か否かを判断し（ステップＳ１１４）、エアコン１２ａが動作中であれば（ステップＳ１１４でＹｅｓ）、設定指示データに基づく運転制御を行い、設定指示データの受信完了をリモコン１４ａへ返信する（ステップＳ１１６）。
【００３５】
エアコン１２ａのエアコン制御部８４ａは、エアコン１２ａが動作中でない場合（ステップＳ１１４でＮｏ）、あるいは、ステップＳ１１６でリモコン１４ａへデータ受信完了信号を返信した後、制御部８４ａに設けられた本体記憶部８４ａ１に記憶されたエアコン１２ａの最新の状態情報を読み出し、エアコン１２ａを最終設定指示したリモコンのペアリングＩＤと共にリモコン１４ａへ返信する（ステップＳ１１８）。
【００３６】
リモコン１４ａのリモコン制御部９６ａは、リモコン送受信部９０ａでエアコン１２ａからの状態情報信号とペアリングＩＤを受信すると（ステップＳ１２０）、判断部９６ａ１が受信したペアリングＩＤと記憶部９６ａ２に記憶されたペアリングＩＤとを比較し、異なっていれば（ステップＳ１２２でＹｅｓ）他のリモコンにより運転操作があったことを液晶表示部９２ａに表示した後、受信した状態情報に基づいて液晶表示部９２ａの表示を更新し、最新の運転状態を表示して（ステップＳ１２４）、ステップＳ１００に戻る。また、受信したペアリングＩＤと記憶部９６ａ２に記憶されたペアリングＩＤが同じ場合は（ステップＳ１２２でＮｏ）、エアコン１２ａの運転状態とリモコン１４ａの表示内容とは一致するため、他のリモコンにより運転操作があったことの表示、および、液晶表示部９２ａの表示の更新をせずに（ステップＳ１２６）、ステップＳ１００に戻る。
【００３７】
また、リモコン１４ａのリモコン制御部９６ａの判断部９６ａ１は、上記ステップＳ１０８において、記憶部９６ａ２に記憶された前回送信した運転操作情報と、操作部９４ａから入力された入力信号とを照らし合わせ、無効ボタンが操作されたと判断すると（ステップＳ１０８でＮｏ）、エアコン１２ａに対しエアコンの最新の運転状態を示す状態情報を返信するように要求する状態情報返信要求信号を送信する（ステップＳ１２８）。
【００３８】
エアコン１２ａのエアコン制御部８４ａは、エアコン送受信部８６ａでリモコン１４ａからの状態情報返信要求信号を受信すると（ステップＳ１３０）、本体記憶部８４ａ１に記憶されているエアコン１２ａの状態情報を読み出し、エアコン１２ａを最終設定指示したリモコンのペアリングＩＤと共にリモコン１４ａに返信する（ステップＳ１１８）。この場合も、リモコン１４ａのリモコン制御部９６ａは、上述したステップＳ１２０〜ステップＳ１２６の処理を行って、ステップＳ１００に戻る。
【００３９】
［有効ボタン操作時の表示例］
例えば、図７に示すように、ユーザがリモコン１４ａを使ってエアコン１２ａの設定温度を２７℃の冷房運転に設定した後、所定時間操作が行なわれないと液晶表示部（ＬＣＤ）９２ａが消灯し、消灯中にユーザが温度ボタン２８ａを操作すると、液晶表示部（ＬＣＤ）９２ａを点灯させ、リモコン送受信部９０ａをオンする（ステップＳ１０６）。この操作は、リモコン制御部９６ａの判断部９６ａ１に送られ、例えば温度ボタン２８ａにより設定温度を１℃上げる操作だった場合、温度ボタン２８ａは、冷房運転中に操作が行なえる有効ボタンであると判断され、リモコン１４ａのリモコン制御部９６ａは、設定温度を１℃上げる設定指示データと、エアコン１２ａの最新の状態情報を返信するように要求する状態情報返信要求信号とを送信する（ステップＳ１１０）。その間、リモコン１４ａの液晶表示部（ＬＣＤ）９２ａには、図７に示すように、通信中と表示され、エアコン１２ａの設定温度を２８℃に変更する画面が表示される。エアコン１２ａのエアコン制御部８４ａは、設定指示データと状態情報返信要求信号を受信し（ステップＳ１１２）、エアコン１２ａが動作中であるので（ステップＳ１１４でＹｅｓ）、受信した設定指示データに基づいて設定温度を２８℃にする設定指示を行い、データ受信完了信号をリモコンへ返信する（ステップＳ１１６）。そして、エアコン１２ａのエアコン制御部８４ａは、冷房運転の設定温度が２８℃に設定指示された最新の状態情報と、エアコン１２ａを最終設定指示したリモコンのペアリングＩＤとをリモコンへ返信する（ステップＳ１１８）。リモコン１４ａのリモコン制御部９６ａは、エアコンの状態情報とペアリングＩＤを受信すると（ステップＳ１２０）、リモコン１４ａの液晶表示部（ＬＣＤ）９２ａの表示を最新のエアコンの運転状態となるように更新することで（ステップＳ１２２）、図７に示すように、冷房運転中で設定温度が２８℃と表示される。ここで、操作されたのが有効ボタンであった場合は、受信したペアリングＩＤと自分のペアリングＩＤとが一致するため、液晶表示部（ＬＣＤ）９２ａの消灯中に別リモコンから運転操作があったことの表示は行わない。
【００４０】
［無効ボタン操作時の表示例］
例えば、図８に示すように、ユーザがリモコン１４ａを使ってエアコン１２ａの停止操作を行った後、リモコン１４ａの液晶表示部（ＬＣＤ）９２ａが消灯している間に、ユーザが温度ボタン２８ａを操作すると、液晶表示部（ＬＣＤ）９２ａを点灯させ、リモコン送受信部９０ａをオンする（ステップＳ１０６）。この操作内容は、リモコン制御部９６ａの判断部９６ａ１に送られる。リモコン制御部９６ａの判断部９６ａ１は、例えば温度ボタン２８ａを運転停止中に操作が行なえない無効ボタンであると判断すると（ステップＳ１０８でＮｏ）、エアコン１２ａに対し状態情報返信要求を行う（ステップＳ１２８）。この時、リモコン１４ａの液晶表示部（ＬＣＤ）９２ａには、図８に示すように、通信中と表示されるが、エアコン１２ａの運転状態は停止表示のままである。エアコン１２ａのエアコン制御部８４ａは、状態情報返信要求信号を受信すると（ステップＳ１３０）、本体記憶部８４ａ１に記憶されたエアコン１２ａの最新の状態情報を読み出し、エアコン１２ａを最終設定指示したリモコンのペアリングＩＤと共にリモコン１４ａへ返信する（ステップＳ１１８）。リモコン１４ａのリモコン制御部９６ａは、無効ボタンの操作により、エアコン１２ａの設定温度を変更する設定指示が行なわれず、受信したペアリングＩＤと記憶部９６ａ２に記憶されたペアリングＩＤが一致することから、液晶表示部（ＬＣＤ）９２ａの消灯中に他のリモコンからの運転操作も無いと判断し、エアコン１２から受信した状態情報で液晶表示を更新しても（ステップＳ１２２）、液晶表示部（ＬＣＤ）９２ａの表示は変わらない。
【００４１】
［液晶消灯中に他のリモコンから停止操作された場合の表示例］
例えば、図９に示すように、ユーザがリモコン１４ａを使ってエアコン１２ａの設定温度を２７℃の冷房運転に設定した後、リモコン１４ａの液晶表示部（ＬＣＤ）９２ａが消灯している間に、他のリモコン１４ｂからエアコン１２ａの停止操作が行われていた場合について説明する。まず、ユーザが１回目に温度ボタン２８ａを操作すると、液晶表示部（ＬＣＤ）９２ａを点灯させ、リモコン送受信部９０ａをオンする（ステップＳ１０６）。リモコン１４ａのリモコン制御部９６ａは、温度ボタン２８ａを操作した時点でリモコン側はエアコンが冷房運転中と認識しているため、判断部９６ａ１で有効ボタンと判断されると（ステップＳ１０８でＹｅｓ）、設定温度を１℃上げる設定指示データと、エアコン１２ａの状態情報返信要求信号とを送信する（ステップＳ１１０）。その間、リモコン１４ａの液晶表示部（ＬＣＤ）９２ａには、図９に示すように、通信中と表示され、エアコン１２ａの設定温度を２８℃に変更する画面が表示される。しかし、操作された時点でリモコン側で有効ボタンと判断しても、液晶表示部（ＬＣＤ）９２ａの消灯中に他のリモコンから操作されてエアコンの運転状態が変化すると、実際には運転操作の行えない無効ボタンの操作と判断部９６ａ１によって判断される。つまり、エアコン１２ａのエアコン制御部８４ａは、リモコン１４ａ側からの設定指示データと状態情報返信要求とを受信すると（ステップＳ１１２）、エアコン本体が運転中か否かを判断し、停止中であれば（ステップＳ１１４でＮｏ）、設定指示を行わずに、エアコンの状態情報をリモコンへ返信すると共に、エアコン１２ａを最終設定指示したリモコンのペアリングＩＤを返信する（ステップＳ１１８）。リモコン１４ａのリモコン制御部９６ａは、エアコンの状態情報とペアリングＩＤを受信し（ステップＳ１２０）、判断部９６ａ１で受信したペアリングＩＤと記憶部９６ａ２に記憶されたペアリングＩＤとを比較すると、ＩＤが異なっているため、図９に示すように、液晶表示部（ＬＣＤ）９２ａに「別リモコンから操作あり」という表示を５．５秒間行った後、現在のエアコン１２ａの運転状態である停止状態に液晶表示を更新する（ステップＳ１２２）。ユーザは、リモコン１４ａの液晶表示部（ＬＣＤ）９２ａに表示される「別リモコンから操作あり」という表示と、エアコン１２ａが現在停止状態であるという表示を確認したことで、リモコンを使って新たな設定指示を行うことができる。
【００４２】
［液晶消灯中にエアコンがエラーで停止した場合の表示例］
例えば、図１０に示すように、ユーザがリモコン１４ａを使ってエアコン１２ａの設定温度を２７℃の冷房運転に設定した後、リモコン１４ａの液晶表示部（ＬＣＤ）９２ａが消灯している間に、エアコン１２ａがエラーで停止していた場合について説明する。まず、ユーザが任意のボタン（例えば温度ボタン２８ａ）を操作すると、液晶表示部（ＬＣＤ）９２ａを点灯させ、リモコン送受信部９０ａをオンする（ステップＳ１０６）。リモコン１４ａのリモコン制御部９６ａの判断部９６ａ１は、ユーザが温度ボタン２８ａを押下すると、温度ボタン２８ａを操作した時点でリモコン側はエアコンが冷房運転中と認識しているため、有効ボタンと判断し（ステップＳ１０８でＹｅｓ）、液晶表示部（ＬＣＤ）９２ａに設定温度を１℃上げて２８℃とする設定指示データ送信画面を表示し、設定指示データと状態情報返信要求信号とをエアコン１２ａに送信する（ステップＳ１１０）。エアコン１２ａのエアコン制御部８４ａは、設定指示データと状態情報返信要求信号とを受信するが（ステップＳ１１２）、エラーで停止しているので動作中でないため（ステップＳ１１４でＮｏ）、運転操作の行えない無効ボタンの操作と判断し、設定温度を１℃上げる設定指示を行わずに、本体記憶部８４ａ１に記憶されたエアコン１２ａのエラー情報を読み出してリモコンへ返信すると共に、エアコン１２ａを最終設定指示したリモコンのペアリングＩＤを返信する（ステップＳ１１８）。リモコン１４ａのリモコン制御部９６ａは、受信したエラー情報に基づいて、液晶表示部（ＬＣＤ）９２ａに、図１０に示すような「点検・修理が必要で、室内ユニットランプの点滅を確認して、お買い上げの販売店にご連絡ください」という文字とイラスト画面を表示した後、停止状態にある現在のエアコン１２ａの状態情報に液晶表示を更新する（ステップＳ１２２）。ここでも、受信したペアリングＩＤと記憶部９６ａ２に記憶されたペアリングＩＤが一致する場合は、液晶表示部（ＬＣＤ）９２ａの消灯中に他のリモコンからの運転操作が無かったと判断し、他のリモコンにより運転操作があったことの表示は行わない。
【００４３】
［液晶消灯中に他のリモコンから設定指示が無くお知らせボタンを押下した表示例］
例えば、図１１に示すように、ユーザがリモコン１４ａを使ってエアコン１２ａの設定温度を２７℃の冷房運転に設定した後、リモコン１４ａの液晶表示部（ＬＣＤ）９２ａが消灯している間に、他のリモコン１４ｂからの設定指示が無く、お知らせボタン３２ａが押下された場合について説明する。まず、ユーザがお知らせボタン３２ａを操作することで、液晶表示部（ＬＣＤ）９２ａを点灯させる。リモコン１４ａのリモコン制御部９６ａの判断部９６ａ１は、お知らせボタン３２ａが押下されると、図６のステップＳ１０８で有効ボタンの操作と判断され（ステップＳ１０８でＹｅｓ）、エアコン１２ａに対し設定指示データと状態情報返信要求信号を送信し（ステップＳ１１０）、図１１に示すように、液晶表示部（ＬＣＤ）９２ａには消灯前の表示に通信中が追加表示される。エアコン１２ａのエアコン制御部８４ａは、設定指示データと状態情報返信要求信号を受信すると（ステップＳ１１２）、エアコン本体が動作中のため（ステップＳ１１４でＹｅｓ）、データ受信完了信号をリモコンへ返信し（ステップＳ１１６）、エアコンの状態情報とリモコンのペアリングＩＤをリモコンへ返信する（ステップＳ１１８）。リモコンに返信するエアコンの状態情報には、本体記憶部８４ａ１に記憶されているエアコン１２ａのお知らせ情報である温度情報、湿度情報、電気代情報の他、エアコンの運転状態を示す状態情報が含まれている。エアコン１２ａのエアコン制御部８４ａは、これらを読み出してリモコン１４ａに返信すると共に、エアコン１２ａを最終設定指示したリモコンのペアリングＩＤをリモコン１４ａに返信する。リモコン１４ａのリモコン制御部９６ａは、受信したお知らせ情報に基づいて、液晶表示部（ＬＣＤ）９２ａに、図１１に示すような「温度・しつど」および「電気代」情報と、どの部屋のエアコンかを示す「お部屋」情報とを一定時間表示した後、取得した現在のエアコンの運転状態に基づいて液晶表示を更新する（ステップＳ１２２）。
【００４４】
［液晶消灯中に他のリモコンから設定指示が有った場合の表示例］
例えば、図１２に示すように、ユーザがリモコン１４ａを使ってエアコン１２ａの設定温度を２７℃の冷房運転に設定した後、リモコン１４ａの液晶表示部（ＬＣＤ）９２ａが消灯している間に、他のリモコン１４ｂから設定温度を１℃下げる設定指示が有った場合について説明する。まず、ユーザがお知らせボタン３２ａを操作することで、液晶表示部（ＬＣＤ）９２ａを点灯させる。リモコン１４ａのリモコン制御部９６ａの判断部９６ａ１は、例えば機能選択時のみ有効となる上昇ボタン６２ａ、下降ボタン６４ａ、あるいは確定ボタン６８ａのいずれかのボタンが押下されたが機能選択時でなかった場合、図６のステップＳ１０８で無効ボタンの操作と判断し（ステップＳ１０８でＮｏ）、エアコン１２ａに対し状態情報返信要求信号を送信し（ステップＳ１２８）、液晶表示部（ＬＣＤ）９２ａには消灯前の表示に通信中が追加表示される。エアコン１２ａのエアコン制御部８４ａは、状態情報返信要求信号を受信すると（ステップＳ１３０）、本体記憶部８４ａ１に記憶された設定温度を１℃下げる設定指示のあったエアコン１２ａの状態情報を読み出し、エアコン１２ａを最終設定指示したリモコンのペアリングＩＤと共にリモコン１４ａに返信する（ステップＳ１１８）。リモコン１４ａのリモコン制御部９６ａの判断部９６ａ１は、ステップＳ１２０で受信したペアリングＩＤと記憶部９６ａ２に記憶されたペアリングＩＤとを比較し、異なるため（ステップＳ１２２でＹｅｓ）、液晶表示部（ＬＣＤ）９２ａの消灯中に他のリモコンからの運転操作があったとして、液晶表示部（ＬＣＤ）９２ａに「別リモコンから操作あり」という表示を行った後、取得した現在のエアコンの運転状態を示す状態情報に基づいて液晶表示を更新する（ステップＳ１２４）。このため、液晶表示部（ＬＣＤ）９２ａには、消灯前より設定温度が１℃低い２６℃で冷房運転していることが表示される。
【００４５】
［サブ機として登録されたエアコンをサブリモコンから操作する場合の状態情報の表示例］
まず、サブリモコンであるリモコン１４ｂの液晶表示部９２ｂには、図１３に示すように、リモコン１４ｂから見たメイン機であるエアコン１２ｂの運転状態が示される。ここでは、リビングにあるエアコン１２ｂが停止状態で、室内温度が３０℃であることを示している。この間に、ダイニングにあるエアコン１２ａのメインリモコンであるリモコン１４ａからエアコン１２ａに対して冷房運転開始の設定指示操作が行われ、何らかの理由でエラーが発生し、ダイニングにあるエアコン１２ａの運転が停止したとする。この時、エアコン１２ａに対するサブリモコンのリモコン１４ｂからユーザがダイニングにあるエアコン１２ａを操作する場合は、図１３に示すように、リモコン１４ｂの登録エアコンボタン７０ｂを押下する。すると、リモコン１４ｂの液晶表示部９２ｂには、サブ機として登録されているエアコンの操作画面一覧が表示される。つまり、リモコン１４ｂのリモコン制御部９６ｂは、サブ機として登録されている全てのエアコンに対し最新の状態情報を返信するように要求し、受信した状態情報に基づいて登録されたエアコンの最新の運転状態の一覧を液晶表示部９２ｂに表示させる。リモコン１４ｂの液晶表示部９２ｂには、図１３に示すように、ダイニングのエアコン１２ａが「エラー停止中」で、子供部屋が「停止  フィルタークリーン中」で、寝室が「自動  標準温度＋２℃」で、その他は「停止」と表示されるため、各部屋のエアコンの運転状態が一目で把握できる。ここで、ユーザは、リモコン１４ｂの上昇ボタン６２ｂと下降ボタン６４ｂを使ってカーソルを移動させ、確定ボタン６８ｂを押下して操作対象や操作内容を確定すると、さらに詳細な操作画面に遷移する。例えば、図１３に示すように、ダイニングにあるエアコン１２ａを選んで確定ボタン６８ｂを押下するとエラー内容を確認することができる。
【００４６】
サブリモコンであるリモコン１４ｂがサブ機登録したダイニングにあるエアコン１２ａの操作が終了すると、図１３に示すように、リモコン１４ｂのメイン機であるリビングにあるエアコン１２ｂの運転状態を示す最初の画面に戻る。
【００４７】
このように、本実施例にかかる空気調和機にあっては、リモコンの操作部が一定時間操作されないとリモコンの表示部を消灯するとともにリモコン送受信部の消費電力を低下させてエアコンとの間の通信を停止し、リモコンの液晶表示部（ＬＣＤ）が消灯している間にユーザが操作ボタンを操作した場合はリモコンへ電源を供給し、液晶表示部を表示させ、リモコン送受信部の動作をオンして、操作された操作ボタンに基づいてエアコンの設定指示データが送信される。このため、リモコンを操作する時だけリモコンへ電源が供給され、それ以外の時は消費電力を低減させるので、使用する電池の消耗を防ぎ、電池の長寿命化を図ることができる。
【００４８】
また、本実施例にかかる空気調和機にあっては、リモコンの液晶表示部（ＬＣＤ）が消灯している間にユーザがリモコンの操作を行うと、エアコンに対して最新の運転状態を示す状態情報を要求し、エアコンから状態情報を受信すると、その状態情報に合わせてリモコンの表示部の表示が更新される。このため、リモコンの液晶表示部の消灯中にエアコンの状態情報が変化したとしても、常にエアコンの最新の運転状態をリモコン側で確認できることから、誤操作を防ぐことができる。
【００４９】
また、本実施例にかかる空気調和機にあっては、リモコンの液晶表示部の消灯中のエアコンの状態情報の変化が、他のリモコンからの操作による場合、あるいは、エアコンのエラーによる場合は、その旨をリモコンの液晶表示部に表示することで、リモコンの液晶表示部が消灯中であってもその間に起こったエアコンの状態情報の変更内容と、その原因をリモコンのユーザ側で把握することができる。
【００５０】
また、本実施例にかかる空気調和機にあっては、エアコンの運転状態に応じて操作が有効となる有効ボタンが操作された場合は、設定指示データの送信と、エアコンの状態情報返信要求の両方を行うが、エアコンの運転状態に応じて操作が無効となる無効ボタンが押下された場合でも、エアコンの状態情報返信要求を行うことで、常にエアコンの最新の状態情報を取得して、リモコン側の液晶表示を更新し、エアコン側の状態とリモコン側の表示とを一致させることで、誤操作を防止することができる。
【００５１】
また、本実施例にかかる空気調和機にあっては、サブ機として登録されたエアコンをサブリモコンから操作する場合、登録されたエアコンが複数あって、各エアコンの運転状態を一覧表示し、操作対象を選択できるようにしたため、家中のエアコンの運転状態をどのリモコンからでも把握することができ、どのリモコンからでも操作が行えるため、外出時等に一斉にエアコンをオフすることができ、エアコンの消し忘れ等の心配が無くなる。
【産業上の利用可能性】
【００５２】
以上のように、本発明にかかる空気調和機は、空気調和機本体を運転操作可能な複数の無線リモコンを備えた空気調和機に有用であり、特に、その無線リモコンが一定時間操作されない場合に無線リモコンの電力を低減するようにした空気調和機に適している。
【符号の説明】
【００５３】
１０  空気調和機
１２ａ，１２ｂ  エアコン（空気調和機本体）
１４ａ，１４ｂ  リモコン（無線リモコン）
１６ａ，１６ｂ  表示部
１８ａ，１８ｂ  十字ボタン
２０ａ、２０ｂ  決定ボタン
２２ａ，２２ｂ  おまかせボタン
２４ａ，２４ｂ  おこのみボタン
２６ａ，２６ｂ  運転／停止ボタン
２８ａ，２８ｂ  温度ボタン
３０ａ，３０ｂ  風量ボタン
３２ａ，３２ｂ  お知らせボタン
３４ａ，３４ｂ  冷房ボタン
３６ａ，３６ｂ  暖房ボタン
３８ａ，３８ｂ  除湿ボタン
４０ａ，４０ｂ  送風ボタン
４２ａ，４２ｂ  蓋
４４ａ，４４ｂ  操作ボタン
４６ａ，４６ｂ  自動運転ボタン
４８ａ，４８ｂ  おやすみボタン
５０ａ，５０ｂ  ランドリーボタン
５２ａ，５２ｂ  ハイパワーボタン
５４ａ，５４ｂ  電流カットボタン
５６ａ，５６ｂ  不在ＥＣＯボタン
５８ａ，５８ｂ  タイマーボタン
６０ａ，６０ｂ  機能ボタン
６２ａ，６２ｂ  上昇ボタン
６４ａ，６４ｂ  下降ボタン
６６ａ，６６ｂ  取消ボタン
６８ａ，６８ｂ  確定ボタン
７０ａ，７０ｂ  登録エアコンボタン
７２ａ，７２ｂ  チャイルドロックボタン
８０ａ，８０ｂ  ＬＥＤ表示部
８２ａ，８２ｂ  操作部
８４ａ，８４ｂ  エアコン制御部
８６ａ，８６ｂ  エアコン送受信部
９０ａ，９０ｂ  リモコン送受信部
９２ａ，９２ｂ  液晶表示部
９４ａ，９４ｂ  操作部
９６ａ，９６ｂ  リモコン制御部
９６ａ１，９６ｂ１  判断部
９６ａ２，９６ｂ２  記憶部
【図１】
2015105762.tif 000003
【図２−１】
2015105762.tif 000004
【図２−２】
2015105762.tif 000005
【図３】
2015105762.tif 000006
【図４】
2015105762.tif 000007
【図５】
2015105762.tif 000008
【図６】
2015105762.tif 000009
【図７】
2015105762.tif 000010
【図８】
2015105762.tif 000011
【図９】
2015105762.tif 000012
【図１０】
2015105762.tif 000013
【図１１】
2015105762.tif 000014
【図１２】
2015105762.tif 000015
【図１３】
2015105762.tif 000016